(57)【特許請求の範囲】
【請求項１】
地面から突出するように設けられた基礎の外面に装飾用の化粧板が取り付けられた化粧板付き基礎構造であって、
上記基礎の外面のうち地面よりも上方に位置する所定範囲にのみ上記化粧板が取り付けられ、当該化粧板の最下辺部と上記地面との上下間隔が５０ｍｍ以上１５０ｍｍ以下に設定され、
上記基礎の外面における上記化粧板の下部に対応する高さ位置に取付け具が固定され、
上記取付け具は、当該取付け具を基礎に固定するためのビスが挿通される挿通孔を含む平板状のベースプレートと、ベースプレートから基礎の面外方向に突出して上記化粧板の下部を支持する支持部とを有し、
上記化粧板の下部における基礎側の面には、上記ビスの頭部を収容するための収容凹部が形成されていることを特徴とする化粧板付き基礎構造。
【請求項２】
請求項１記載の化粧板付き基礎構造において、
上記化粧板の断面形状が、上記基礎の外面に沿って配置されるベース面部と当該ベース面部よりも上記基礎の面外方向に突出する突面部とを交互に有する波型形状とされ、
上記化粧板の突面部の内面に形成された凹部に、上記化粧板を基礎の外面に接着するための接着剤が充填されたことを特徴とする化粧板付き基礎構造。
【請求項３】
請求項２記載の化粧板付き基礎構造において、
上記接着剤に防蟻用の薬剤が含有されていることを特徴とする化粧板付き基礎構造。
【発明の詳細な説明】
【技術分野】
【０００１】
本発明は、地面から突出するように設けられた基礎の外面に装飾用の化粧板が取り付けられた化粧板付き基礎構造に関する。
【背景技術】
【０００２】
従来から、住宅等の建物を支持する基礎の外面（屋外側の面）に化粧板を取付けることにより、建物の基礎部分を装飾することが行われている。
【０００３】
例えば、下記特許文献１には、基礎の周囲に沿う屋外側の土壌を掘って堀り溝を形成した後、当該基礎の外面に化粧板を接着剤により貼り付け、その後に上記掘り溝を埋め戻すことにより、化粧板をその下端部が土中に埋設される状態で取り付けることが開示されている。
【先行技術文献】
【特許文献】
【０００４】
【特許文献１】特開２００４−１７６４３０号公報
【発明の概要】
【発明が解決しようとする課題】
【０００５】
しかしながら、上記特許文献１のように、基礎の外面を覆う化粧板を、部分的に土中に埋設される状態で取り付けた場合には、土中に住む白蟻が上記化粧板と基礎の外面との間の僅かな隙間を通って這い上がり、基礎の上に設置された建物の土台等まで侵入するおそれがある。
【０００６】
本発明は、上記のような事情に鑑みてなされたものであり、建物の基礎部分を化粧板で装飾しつつ、白蟻による建物の被害を効果的に防止することが可能な化粧板付き基礎構造およびその施工方法を提供することを目的とする。
【課題を解決するための手段】
【０００７】
上記課題を解決するためのものとして、本発明は、地面から突出するように設けられた基礎の外面に装飾用の化粧板が取り付けられた化粧板付き基礎構造であって、上記基礎の外面のうち地面よりも上方に位置する所定範囲にのみ上記化粧板が取り付けられ、当該化粧板の最下辺部と上記地面との上下間隔が５０ｍｍ以上１５０ｍｍ以下に設定され、上記基礎の外面における上記化粧板の下部に対応する高さ位置に取付け具が固定され、上記取付け具は、当該取付け具を基礎に固定するためのビスが挿通される挿通孔を含む平板状のベースプレートと、ベースプレートから基礎の面外方向に突出して上記化粧板の下部を支持する支持部とを有し、上記化粧板の下部における基礎側の面には、上記ビスの頭部を収容するための収容凹部が形成されていることを特徴とするものである（請求項１）。
【０００８】
ここで、「地面」とは、基礎の屋外側の土壌がむき出しである場合には、その土壌の表面のことを指し、当該土壌がコンクリートやモルタル等で覆われている場合（いわゆる犬走りが施工されている場合）には、そのコンクリートやモルタル等（犬走り）の表面のことを指す。
【０００９】
また、「化粧板の最下辺部」とは、基礎の外面を覆う化粧板全体としての下辺部のことであり、例えば基礎の高さ方向に複数の化粧板が並べて配置されるような場合には、高さ方向に並ぶ複数の化粧板のうち、最も下側に位置する化粧板の下辺部のことを指す。一方、化粧板が高さ方向に１枚だけ配置されるような場合には、その１枚の化粧板の下辺部が、そのまま「化粧板の最下辺部」となる。
【００１０】
上記の発明によれば、化粧板の最下辺部と地面との上下間隔が５０ｍｍ以上に設定されているため、土中の白蟻は、光を遮蔽するものがない場所を５０ｍｍ以上這い上がらなければ、化粧板の設置高さまで到達することができない。白蟻の行動範囲は暗がりに限られるため、上記のように光を遮断するものがない場所を５０ｍｍ以上這い上がることは、白蟻にとって困難であり、この点から、白蟻の化粧板への到達が防止される。白蟻が一旦化粧板に到達すると、化粧板と基礎の外面とのわずかな隙間（ここは白蟻が好む暗がりとなる）を通って、基礎の上に設置された建物の土台等に侵入するおそれがあるが、上記のように比較的大きな上下間隔を設けて白蟻の化粧板への到達を防止するようにした場合には、白蟻の土台等への侵入が未然に防止されるため、化粧板による基礎部分の装飾を図りながら、白蟻による建物の被害を効果的に防止することできる。
【００１１】
また、化粧板の最下辺部と地面との上下間隔を１５０ｍｍ以下に抑えるようにしたため、化粧板で覆われる基礎の範囲が狭くなり過ぎることが回避され、装飾性を良好に維持することができる。
【００１２】
上記構造において、好ましくは、上記化粧板の断面形状が、上記基礎の外面に沿って配置されるベース面部と当該ベース面部よりも上記基礎の面外方向に突出する突面部とを交互に有する波型形状とされ、上記化粧板の突面部の内面に形成された凹部に、上記化粧板を基礎の外面に接着するための接着剤が充填される（請求項２）。
【００１３】
このように、化粧板を波型の断面形状にした場合には、化粧板の外観をより装飾性に優れたものにすることができる。また、装飾性を向上させるために形成された上記化粧板の凹凸を利用して、基礎の外面と化粧板との間に接着剤を効率よく充填することができ、この接着剤によって化粧板をより強固に固定することができる。
【００１４】
上記構造において、好ましくは、上記接着剤に防蟻用の薬剤が含有されている（請求項３）。
【００１５】
この構成によれば、化粧板の設置高さまで万が一白蟻が到達した場合でも、化粧板の裏側（化粧板と基礎の外面との隙間）を通って白蟻が建物の土台等まで侵入することを防止でき、白蟻による被害をより確実に防止することができる。
【発明の効果】
【００２０】
以上説明したように、本発明の化粧板付き基礎構造によれば、建物の基礎部分を化粧板で装飾しつつ、白蟻による建物の被害を効果的に防止することができる。
【図面の簡単な説明】
【００２１】
【図１】本発明の一実施形態にかかる化粧板付き基礎構造を示す断面図である。
【図２】上記化粧板付き基礎構造の正面図である。
【図３】化粧板を単独で示す断面図である。
【図４】化粧板を単独で示す正面図である。
【図５】化粧板を取り付けるための取付金具の形状を示す断面図である。
【図６】上記取付金具の正面図である。
【図７】図１の一部拡大図である。
【図８】図１の別の部分の拡大図である。
【図９】上記化粧板付き基礎構造の施工方法を説明するための説明図（その１）である。
【図１０】上記施工方法の説明図（その２）である。
【図１１】上記施工方法の説明図（その３）である。
【図１２】上記施工方法の説明図（その４）である。
【図１３】本発明の変形例を説明するための図である。
【発明を実施するための形態】
【００２２】
図１および図２は、本発明の一実施形態にかかる化粧板付き基礎構造を示す断面図および斜視図である。これらの図において、基礎１は、住宅等の建物を支持するためのものであり、建物の１階部分の平面形状に対応した枠状のコンクリート材からなる。なお、基礎１の内部には多数の配筋等が存在するが、ここではその図示を省略している。
【００２３】
上記基礎１は、地面ＧＬ（ここでは土壌Ｇの表面）から上方に突出する状態で打設されており、その上端面には、木製の角材等からなる建物の土台２が、図外のアンカーボルト等を介して固定されている。さらに、土台２には、屋外側に突出するように土台水切り３が取り付けられている。
【００２４】
上記基礎１には、その外面（屋外側の面）を覆うように複数の化粧板５が取り付けられている。この化粧板５は、建物の基礎部分を装飾するためのもので、例えばＧＲＣ等のプレキャストコンクリート板や、石膏ボード、押出成形セメント板、陶磁器タイル等から構成される。また、これ以外の例として、金属製の板材（例えば金属ロールフォーミング板、アルミニウム製押出板など）や、樹脂製の板材を化粧板５として用いてもよい。
【００２５】
上記化粧板５は、１枚につき所定面積の矩形領域を覆うように形成されている。そして、基礎１の高さ方向および周方向に化粧板５が複数並べて配置されることにより、基礎１の外面がほぼ全周にわたり（ただし後述する上下間隔Ｈの範囲を除いて）、化粧板５によって覆われている。なお、図例では、周方向に並ぶ化粧板５どうしの隙間にシーリング６が施されているが（図２）、化粧板５どうしの隙間が小さく目立たない場合は、シーリング６を省略しても差し支えない。
【００２６】
後で詳しく説明する図３にも示すように、当実施形態では、基礎１の高さ方向に２枚の化粧板５が並べて配置されている。ただし、化粧板５の高さ寸法は、上下２枚合わせても基礎１の高さ（地面ＧＬからの突出高さ）よりも小さく、基礎１の外面のうち地面ＧＬに近い範囲については化粧板５によって覆われていない。これにより、化粧板５の最下辺部Ｌｓ、つまり、上下２枚の化粧板５のうち下側の化粧板５の下辺部と、地面ＧＬとの間に、所定寸法の上下間隔Ｈ（図１）が確保されるようになっている。なお、この上下間隔Ｈに対応する基礎１の外面には、化粧用のモルタル４が施工されている。
【００２７】
上記化粧板５の最下辺部Ｌｓと地面ＧＬとの上下間隔Ｈは、最低限５０ｍｍであり、より好ましくは、８０ｍｍ以上に設定される。このように、上下間隔Ｈを比較的広く確保するのは、土中に住む白蟻が建物の土台２まで這い上がるのを防止するためである。すなわち、白蟻の行動範囲は暗がりに限られるため、化粧板５の最下辺部Ｌｓと地面ＧＬとの上下間隔Ｈが小さい場合（特に、化粧板５が部分的に土中に埋まる状態で取り付けられているような場合）には、白蟻が化粧板５と基礎１の外面との隙間や、隣接する化粧板５どうしの隙間を通って這い上がり、建物の土台２まで侵入するおそれがある。
【００２８】
これに対し、化粧板５の最下辺部Ｌｓと地面ＧＬとの間にある程度の上下間隔Ｈが確保されている場合には、その上下間隔Ｈ分の高さを這い上がらなければ化粧板５に到達できない。上下間隔Ｈに対応する基礎１の外面（より詳しくは基礎１を覆うモルタル４の外面）は、光を遮断するものが何もないので、暗がりを好む白蟻にとっては行動しにくい範囲となる。このため、上記のように上下間隔Ｈを５０ｍｍ以上、より好ましくは８０ｍｍ以上に設定することで、白蟻の行動を制限し、化粧板５と基礎１との隙間等を通って白蟻が土台２まで這い上がることを防止することができる。
【００２９】
ただし、上記上下間隔Ｈをあまり大きくすると、化粧板５で覆われる基礎１の範囲が狭くなり、外観上好ましくない。このため、上記上下間隔Ｈは、１５０ｍｍ以下に設定される。例えば、基礎１の地面ＧＬからの突出高さ（地面ＧＬから基礎１の上端面までの距離）が、一般的な住宅において好ましい値とされる４００ｍｍ以上である場合に、上記上下間隔Ｈを１５０ｍｍ以下とすれば、化粧板５で覆われる高さ範囲が３５０ｍｍ以上となる。この程度の範囲が化粧板５で覆われていれば、外観上特に違和感はなく、装飾性は充分に確保される。
【００３０】
以上のことから、上記化粧板５の最下辺部Ｌｓと地面ＧＬとの上下間隔Ｈは、５０ｍｍ以上（より好ましくは８０ｍｍ以上）かつ１５０ｍｍ以下に設定される。
【００３１】
図３は、上記化粧板５（高さ方向に並ぶ２枚の化粧板）を単独で示す断面図、図４は平面図である。化粧板５は、装飾上の要求から、断面視（化粧板５を厚み方向に切断する鉛直面に沿った断面視）で波型に形成されており、基礎１の外面（図３に想像線で示す）に沿って配置されるベース面部１１と、ベース面部１１よりも基礎１の面外方向（図３では左側）に突出する突面部１０とを交互に有している。すなわち、複数のベース面部１１が基礎１の高さ方向に所定の間隔を空けて複数設けられるとともに、隣接するベース面部１１どうしをつなぐ複数の突面部１０が面外方向に突出して設けられることで、断面視で波型形状の化粧板５が形成されている。各突面部１０の内面（基礎１側の面）であって隣接するベース面部１１どうしの間には、基礎１の外面と閉空間を形成する凹部１３が形成されている。
【００３２】
ここで、当実施形態において、高さ方向に並べられる２枚の化粧板５は、それぞれ、突面部１０とベース面部１１とを３つずつ有する形状とされ、同一の高さ寸法を有している。この場合、化粧板５の最下辺部（化粧板５全体としての下辺部）Ｌｓは、図示のように、下側の化粧板５が有する３つの突面部１０のうち、最も下側の突面部１０の下辺部となる。
【００３３】
図３に示すように、上記化粧板５（上側の化粧板５および下側の化粧板５）は、最も下方に位置する突面部１０の裏側に、後述する取付金具２０によって支持される支持受け部１２を有しており、当該支持受け部１２と、これと隣接するベース面部１１との間には、後述するビス３０の頭部が収容される収容凹部１４が形成されている。また、各化粧板５において、最も上側のベース面部１１と、上記支持受け部１２とには、それぞれテーパ面１１ａ，１２ａが形成されている。
【００３４】
再び図１および図２に戻って、化粧板５を基礎１に固定する構造について詳しく説明する。化粧板５は、化粧板５を位置決めおよび固定するための取付金具２０（本発明にかかる取付具に相当）を用いて基礎１の外面に固定されている。さらに、化粧板５の突面部１０の内面に形成された凹部１３には接着剤１８が充填されており、この接着剤１８を用いた接着によっても、上記化粧板５が基礎１に固定されている。
【００３５】
上記接着剤１８には、防蟻用の薬剤が含有されている。この接着剤１８に含有される薬剤は、防蟻性を有するものであればよく、特にその種類は限定されないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等を挙げることができる。
【００３６】
なお、上述したように、当実施形態では、化粧板５の最下辺部Ｌｓと地面ＧＬとの間に５０ｍｍ以上の上下間隔Ｈが確保されるので、化粧板５の設置高さまで白蟻が這い上がってくる可能性は低いが、万が一化粧板５の設置高さまで白蟻が到達した場合でも、化粧板５の裏側（化粧板５と基礎１との隙間）を通って土台２まで白蟻が這い上がることがないように、上記接着剤１８に防蟻用の薬剤が含有されている。
【００３７】
図５および図６は、上記取付金具２０を単体で示す断面図および正面図である。これらの図に示すように、取付金具２０は、基礎１の外面（図５に想像線で示す）に沿って配置される平板状のベースプレート２１と、ベースプレート２１の下端部近傍から基礎１の面外方向（図５では左側）に突出するように設けられた支持部２２とを有している。さらに、支持部２２は、ベースプレート２１から水平方向に延びる水平片２２ａと、この水平片２２ａの先端部から斜め上方または斜め下方に突出するように設けられた第１押さえ片２２ｂおよび第２押さえ片２２ｃとを有している。
【００３８】
上記ベースプレート２１の上部の２箇所には、上記ビス３０の軸部が挿通される挿通孔２１ａが形成されるとともに、ベースプレート２１の略中央部分には、軽量化のための矩形状の切欠き２１ｂが形成されている。
【００３９】
図７は、図１に示した上下２枚の化粧板５のうち、下側の化粧板５の下部を支持する取付金具２０（下側の取付金具）の周辺を拡大して示す図である。本図に示すように、取付金具２０は、そのベースプレート２１の挿通孔２１ａ（図５、図６）を通じて螺着されるビス３０を介して基礎１の外面に固定されている。基礎１に固定された取付金具２０は、その支持部２２によって、化粧板５の下部（支持受け部１２）を支持している。
【００４０】
より具体的には、取付金具２０の支持部２２における水平片２２ａの上面に上記支持受け部１２の下端面が載置されるとともに、上記水平片２２ａから支持受け部１２のテーパ面１２ａに沿って斜め上方に延びる第１押さえ片２２ｂによって、上記支持受け部１２が基礎１の面外方向（図中左側）に動かないよう押さえ付けられている。なお、この状態において、上記取付金具２０を固定しているビス３０の頭部は、上記支持受け部１２の上方に形成された収容凹部１４に収容される。
【００４１】
図８は、図１に示した上下２枚の化粧板５の間に取付けられている取付金具２０（上側の取付金具２０）の周辺を拡大して示す図である。この上側の取付金具２０も、下側の取付金具２０（つまり下側の化粧板５を支持する図７に示した取付金具２０）と同一の形状を有している。すなわち、当実施形態では、場所にかかわらず、同じ形状の取付金具２０が共通に使用される。
【００４２】
上記上側の取付金具２０は、図７に示した下側の取付金具２０と同様、ビス３０によって基礎１の外面に固定されている。そして、この取付金具２０を上下から挟むように、上側の化粧板５と下側の化粧板５とが上下に並べて配置されている。
【００４３】
具体的に、下側の化粧板５については、その上端部が、上記取付金具２０の第２押さえ片２２ｃによって基礎１側に押さえ付けられている。すなわち、取付金具２０の支持部２２のうち、その水平片２２ａから斜め下方に延びる第２押さえ片２２ｃが、下側の化粧板５の上端部（最も上側のベース面部１１）に設けられたテーパ面１１ａに沿って配置されることにより、当該化粧板５の上端部が基礎１の面外方向（図中左側）に動かないよう押さえ付けられている。これにより、下側の化粧板５は、その下端部が図７に示した取付金具２０によって支持されていることと相俟って、基礎１に対し上下方向および面外方向に動かない状態に固定される。このとき、図示のように、取付金具２０のベースプレート２１の下辺部と、下側の化粧板５の下辺部（最下辺部Ｌｓ）とが、ほぼ同一の高さ位置になるように、取付金具２０および化粧板５の寸法関係が設定されている。
【００４４】
一方、上側の化粧板５については、図７を用いて説明したのと同様、その支持受け部１２が上記取付金具２０の支持部２２によって支持されている。加えて、上側の化粧板５には、図１に示すように、そのベース面部１１を貫通して基礎１に螺着される固定用ビス３１が取り付けられている。このように、上側の化粧板５は、その下端部を支持する取付金具２０と、基礎１まで貫通して螺着される固定用ビス３１とによって、基礎１の外面に固定されている。
【００４５】
さらに、先にも述べたとおり、上記各化粧板５は、その裏側の凹部１３に充填された接着剤１８を介して基礎１の外面に接着されることにより、基礎１に対し強固に固定されている。
【００４６】
次に、以上のような化粧板付き基礎構造の施工方法について説明する。
【００４７】
まず、化粧板５として、基礎１の外面の所望範囲を覆うのに必要な枚数の化粧板５を用意する。具体的には、基礎１の外面のうち、図１に示した上下間隔Ｈ（モルタル４を施工する部分）を除く領域の面積を計算し、その面積を覆うのに必要な枚数の化粧板５を用意する。
【００４８】
次いで、用意した複数の化粧板５を順次基礎１の外面に取り付けていくが、この化粧板５の取り付けは、下側の化粧板５から順に行う。例えば、図１および図２に示すように、基礎１の高さ方向に化粧板５を２枚取り付ける場合には、まず下側の化粧板５を取り付けて、その後に上側の化粧板５を取り付ける。以下に、この上下２枚の化粧板５の取付手順について詳しく説明する。
【００４９】
まず、図９に示すように、ビス３０を用いて、基礎１の外面に取付金具２０を取り付ける。すなわち、取付金具２０に設けられている挿通孔２１ａ（図５、図６）にビス３０を挿通し、そのビス３０を基礎１に螺着させることにより、取付金具２０を基礎１に固定する。このとき、取付金具２０のベースプレート２１の下辺部と地面ＧＬとの上下間隔Ｈ’が、５０ｍｍ以上（より好ましくは８０ｍｍ以上）かつ１５０ｍｍ以下になるように位置決めした上で、取付金具２０を基礎１に固定する。
【００５０】
次いで、図１０に示すように、上記取付金具２０の上に化粧板５を載置する。具体的には、基礎１に固定された取付金具２０の支持部２２の上に、化粧板５の下部に設けられた支持受け部１２を載置する。これにより、図７を用いて説明したように、化粧板５の支持受け部１２の下端面が支持部２２の水平片２２ａの上面に載置されるとともに、上記水平片２２ａから斜め上方に延びる第１押さえ片２２ｂによって上記支持受け部１２の面外方向への移動が規制され、化粧板５が仮固定される。このとき、化粧板５の裏側の凹部１３には、予め接着剤１８を充填しておく。この接着剤１８は、その後の時間経過によって硬化し、化粧板５を基礎１に接着させる。
【００５１】
ここで、上述したように、取付金具２０の支持部２２の上に化粧板５を載置すると、化粧板５の最下辺部Ｌｓの高さ位置は、上記取付金具２０のベースプレートの下辺部の高さとほぼ一致する。このため、化粧板５の最下辺部Ｌｓと地面ＧＬとの上下間隔Ｈは、上述した取付金具２０の下辺部と地面ＧＬとの上下間隔Ｈ’（図９）と同一となり、この結果、化粧板５の最下辺部Ｌｓと地面ＧＬとの上下間隔Ｈとして、５０ｍｍ以上１５０ｍｍ以下の寸法が確保される。
【００５２】
次いで、上記のようにして取付金具２０上に取り付けた化粧板５（下側の化粧板）の上側に、図１１に示すように、別の取付金具２０（上側の取付金具）を取り付ける。具体的には、下側の化粧板５の上辺部に対応する高さ位置に、上記上側の取付金具２０を、ビス３０を用いて固定する。このとき、取付金具２０のベースプレート２１を、化粧板５の裏側の隙間、つまり化粧板５の最も上側のベース面部１１と基礎１との隙間に差し込みつつ、さらに取付金具２０の支持部２２を上記ベース面部１１の上端面に突き当てるようにして、取付金具２０を位置決めし、その状態でビス３０を用いて取付金具２０を基礎１に固定する。これにより、図８にも示したように、化粧板５の上端部（最も上側のベース面部１１に設けられたテーパ面１１ａ）が、支持部２２の水平片２２ａから斜め下方に延びる第２押さえ片２２ｃによって押さえられ、下側の化粧板５の取り付けが完了する。
【００５３】
そして、図１２に示すように、上記上側の取付金具２０の上に、上記取り付け済みの化粧板５とは別の化粧板５（上側の化粧板）を取り付ける。その手順は、図１０に示した下側の化粧板５を取り付ける手順と同様である。すなわち、上側の化粧板５の凹部１３に予め接着剤１８を充填しておいた状態で、当該化粧板５の支持受け部１２を上記上側の取付金具２０の支持部２２の上に載置することにより、化粧板５を基礎１に仮固定する。これにより、図１２に示すように、上側の取付金具２０を上下から挟むように、上側の化粧板５と下側の化粧板５とが上下に並べて配置される。
【００５４】
ただし、上側の化粧板５を取り付ける作業の仕上げは、下側の化粧板５のときと異なり、化粧板５に固定用ビス３１を直接取り付けることで行う。すなわち、図１２に示すように、上側の化粧板５の上部に、化粧板５を貫通する状態で固定用ビス３１を取り付け、その軸部を基礎１に螺着させることにより、上側の化粧板５を完全に基礎１に固定する。その後は、接着剤１８が時間経過によって硬化することで、化粧板５が基礎１に接着される。
【００５５】
以上のような手順により、上下２枚の化粧板５の取り付けが完了する。そして、このような化粧板５の取付作業を、基礎１の外面における異なる周方向位置でも実施し、基礎１の外面をほぼ全周にわたって化粧板５で覆うようにする。このとき、取付金具２０の取付高さを全て揃えるようにし、どの周方向位置においても、化粧板５の最下辺部Ｌｓ（下側の化粧板５の下辺部）と地面ＧＬとの間に、５０ｍｍ以上１５０ｍｍ以下の一律の上下間隔Ｈが確保されるようにする。なお、周方向に隣接する化粧板５どうしの隙間には、必要に応じてシーリング６（図２）を施す。
【００５６】
そして最後に、上記上下間隔Ｈに対応する基礎１の外面、つまり化粧板５の最下辺部Ｌｓと地面ＧＬとの間に位置する基礎１の外面に、化粧用のモルタル４（図１、図２）を施工する。以上により、化粧板付き基礎構造の施工が全て完了する。
【００５７】
次に、以上説明したような当実施形態の内容に基づいて、当実施形態の特徴的な構成およびそれによる作用効果についてまとめて説明する。
【００５８】
上記実施形態における化粧板付き基礎構造では、基礎１の外面のうち地面ＧＬよりも上方に位置する所定範囲にのみ化粧板５が取り付けられ、当該化粧板５の最下辺部Ｌｓと地面ＧＬとの上下間隔Ｈが、５０ｍｍ以上（より好ましくは８０ｍｍ以上）かつ１５０ｍｍ以下に設定される。このような構成によれば、建物の基礎部分を化粧板５で装飾しつつ、白蟻による建物の被害を効果的に防止できるという利点がある。
【００５９】
すなわち、上記実施形態では、化粧板５の最下辺部Ｌｓと地面ＧＬとの上下間隔Ｈが５０ｍｍ以上に設定されているため、土中の白蟻は、光を遮蔽するものがない場所（当実施形態ではモルタル４の外面）を５０ｍｍ以上這い上がらなければ、化粧板５の設置高さまで到達することができない。白蟻の行動範囲は暗がりに限られるため、上記のように光を遮断するものがない場所を５０ｍｍ以上這い上がることは、白蟻にとって困難であり、この点から、白蟻の化粧板５への到達が防止される。白蟻が一旦化粧板５に到達すると、化粧板５と基礎１の外面とのわずかな隙間（ここは白蟻が好む暗がりとなる）を通って、基礎１の上に設置された建物の土台２等に侵入するおそれがあるが、上記のように比較的大きな上下間隔Ｈを設けて白蟻の化粧板５への到達を防止するようにした場合には、白蟻の土台２等への侵入が未然に防止されるため、化粧板５による基礎部分の装飾を図りながら、白蟻による建物の被害を効果的に防止することできる。
【００６０】
特に、より好ましいケースとして、化粧板５の最下辺部Ｌｓと地面ＧＬとの上下間隔Ｈを、８０ｍｍ以上に設定した場合には、白蟻が装飾板５まで到達することがさらに困難となるため、白蟻による被害をより確実に防止することができる。
【００６１】
また、化粧板５の最下辺部Ｌｓと地面ＧＬとの上下間隔Ｈを１５０ｍｍ以下に抑えるようにしたため、化粧板５で覆われる基礎１の範囲が狭くなり過ぎることが回避され、装飾性を良好に維持することができる。
【００６２】
また、上記実施形態では、化粧板５として、基礎１の外面に沿って配置されるベース面部１１とベース面部１１よりも基礎１の面外方向に突出する突面部１０とを交互に有する波型形状のものを用いたため、例えば図２の斜視図を見るとよく理解できるように、化粧板５の外観を装飾性に優れたものにすることができる。
【００６３】
さらに、上記実施形態では、上記化粧板５の突面部１０の内面に形成された凹部１３に、化粧板５を基礎１の外面に接着するための接着剤１８を充填したため、装飾性を向上させるために形成された化粧板５の凹凸を利用して、基礎１の外面と化粧板５との間に接着剤１８を効率よく充填することができ、この接着剤１８によって化粧板５をより強固に固定することができる。
【００６４】
特に、上記実施形態では、上記接着剤１８に防蟻用の薬剤が含有されているので、化粧板５の設置高さまで万が一白蟻が到達した場合でも、化粧板５の裏側（化粧板５と基礎１の外面との隙間）を通って白蟻が建物の土台２等まで侵入することを防止でき、白蟻による被害をより確実に防止することができる。
【００６５】
また、上記実施形態では、上記化粧板５の最下辺部Ｌｓと地面ＧＬとの上下間隔Ｈに対応する基礎１の外面に、モルタル４が施工されているため、化粧板５が設置されない範囲をモルタル４の施工により平滑に仕上げることができ、基礎部分の外観をより効果的に向上させることができる。
【００６６】
また、上記実施形態では、基礎１に化粧板５を取り付ける手順として、まず、地面ＧＬから５０ｍｍ以上１５０ｍｍ以下だけ離れた高さに位置する基礎１の外面に、化粧板５を支持するための取付金具２０を取り付け（図９）、その後、当該取付金具２０の支持部２２に化粧板５を載置する等により、化粧板５の最下辺部Ｌｓと地面ＧＬとの間に５０ｍｍ以上１５０ｍｍ以下の上下間隔Ｈが確保される状態で、化粧板５を基礎１に取り付けるようにした（図１０）。このようにすれば、取付金具２０の基礎１への取付によって化粧板５の最下辺部Ｌｓの高さを的確に規定することができ、化粧板５の最下辺部Ｌｓと地面ＧＬとの上下間隔Ｈを簡単かつ確実に所望の寸法（５０ｍｍ以上１５０ｍｍ以下）に設定することができる。
【００６７】
また、上記実施形態では、基礎１の高さ方向に２枚の化粧板５を取り付けるために、上記取り付け済みの化粧板５（下側の化粧板）の上辺部に対応する高さ位置に、先に取り付けた取付金具２０（下側の化粧板を支持している取付金具）と同じ形状の取付金具２０を取り付け、この上側の取付金具２０の上に、上記下側の化粧板５とは別の化粧板５（上側の化粧板）を載置する等により、上記上側の取付金具２０を挟んで２枚の化粧板５を上下に並べて配置するようにした。このようにすれば、上下２枚の化粧板５の間に挟まれる取付金具２０を用いて、２枚の化粧板５を精度よく基礎１に取り付けることができる。また、取付金具２０として全て同じ形状のものを用いることができるので、化粧板５の取付費用を効果的に低減することができる。
【００６８】
次に、変形例について説明する。
【００６９】
上記実施形態では、基礎１の高さ方向に、同じ高さ寸法を有する２枚の化粧板５を並べて配置したが、基礎１の高さ（地面ＧＬからの突出高さ）等との関係で、異なる高さ寸法を有する２枚の化粧板を並べて配置するようにしてもよい。
【００７０】
図１３は、異なる高さ寸法の化粧板５を取り付ける場合の一例を示す図である。本図に示される変形例では、基礎１の屋外側に位置する土壌Ｇの上面に、コンクリートまたはモルタル等からなる犬走り５０が施工されている。この場合、地面ＧＬは、この犬走り５０の表面となる。したがって、仮に基礎１の寸法が図１に示した実施形態の場合と同一であるとすると、基礎１の地面ＧＬからの突出高さは、図１の実施形態よりも上記犬走り５０の分だけ低くなる。この場合でも、化粧板５の最下辺部Ｌｓと地面ＧＬとの間には、５０ｍｍ以上（より好ましくは８０ｍｍ以上）かつ１５０ｍｍ以下の上下間隔Ｈを確保する必要がある。そこで、図１３の例では、上下２枚の化粧板５のうち、下側の化粧板５の高さ寸法を、上側の化粧板５のそれよりも小さく設定することにより、上記上下間隔Ｈを５０ｍｍ以上確保している。
【００７１】
なお、上記実施形態および図１３の変形例のいずれの場合でも、基礎１の高さ方向に２枚の化粧板５を並べて配置したが、化粧板５の高さ方向の枚数は２枚に限らず、１枚のみであってもよいし、あるいは３枚以上であってもよい。
【００７２】
また、上記実施形態では、基礎１に取り付けられる上下２枚の化粧板５のうち、上側の化粧板５については、化粧板５を貫通して基礎１に螺着される固定用ビス３１を用いて取り付けるようにしたが、このような方法に代えて、上側の化粧板５の上端部を係止して基礎１側に押さえ付ける金具等の部材を基礎１の上面部に取り付けることにより、上記化粧板５の固定を図るようにしてもよい。
【００７３】
また、上記実施形態では、化粧板５として断面視で波型形状の化粧板を用いたが、化粧板５の形状は装飾上の要求に合わせて適宜変更可能である。また、化粧板５の材質についても特に限定されない。
【００７４】
また、上記実施形態では、化粧板５の最下辺部Ｌｓと地面ＧＬとの上下間隔Ｈに対応する部分にモルタル４を施工したが、装飾上特に必要なければ、モルタル４は省略してもよい。
【符号の説明】
【００７５】
１  基礎
４  モルタル
５  化粧板
１０  突面部
１１  ベース面部
１３  凹部
１８  接着剤
２０  取付金具（取付具）
Ｌｓ  （化粧板の）最下辺部
ＧＬ  地面
Ｈ  上下間隔
【図１】
0005502829.tif 000002
【図２】
0005502829.tif 000003
【図３】
0005502829.tif 000004
【図４】
0005502829.tif 000005
【図５】
0005502829.tif 000006
【図６】
0005502829.tif 000007
【図７】
0005502829.tif 000008
【図８】
0005502829.tif 000009
【図９】
0005502829.tif 000010
【図１０】
0005502829.tif 000011
【図１１】
0005502829.tif 000012
【図１２】
0005502829.tif 000013
【図１３】
0005502829.tif 000014